(57)【要約】【課題】  天井と床面との間にガラス板を両面に保持してなるガラスパネル装置において、ガラス板の施工作業が容易である、しかもガラス板を安定に支持できるガラスパネル装置を提供する。【解決手段】  地レール２上に配置し、ガラス板７の下端を受ける受部材１９を備えた下枠５と、受部材の下方の下枠に取付けてガラス板の下端部の表面側を押さえる押さえ枠８とを有し、下枠に押さえ枠を係合させた状態で固定部材９によって押さえ枠の係合状態を維持してなる。【選択図】        図５
2017119966.tif 000002
【特許請求の範囲】
【請求項１】
地レール上に配置し、ガラス板の下端を受ける受部材を備えた下枠と、前記受部材の下方の前記下枠に取付けてガラス板の下端部の表面側を押さえる押さえ枠とを有し、前記下枠に押さえ枠を係合させた状態で、弾性部材又はネジ部材からなる固定部材によって押さえ枠の係合状態を維持してなることを特徴とするガラスパネル装置。
【請求項２】
前記下枠には、ガラス板を受ける上方側と外側を開放した受溝を有する前記受部材を備え、該受部材の下方に外側へ開放した係合溝を有し、該係合溝に前記押さえ枠を係合させた状態で、弾性部材又はネジ部材からなる固定部材によって押さえ枠の係合状態を維持してなる請求項１記載のガラスパネル装置。
【請求項３】
前記下枠の係合溝は、立壁板と上板及び下板で形成し、前記押さえ枠は、前記係合溝に係合する取付部に前記ガラス板の表面側を当止する保持片を立起状態で有し、前記下枠の上板下面と前記押さえ枠の取付部の上面とに凹凸係合部を設け、弾性部材からなる前記固定部材は前記下枠の下板上面と前記押さえ枠の取付部の下面との間に圧縮状態で介在させ、前記下枠の係合溝に対する前記押さえ枠の係合状態を維持してなる請求項２記載のガラスパネル装置。
【請求項４】
前記下枠の上板の下面に前記係合溝の長手方向に沿って係止突条を単数又は複数平行に突設し、前記押さえ枠は、前記取付部の上面に前記下枠の係止突条の奥側に係止する同数の係止突条を突設し、前記下枠の係止突条の奥側に前記押さえ枠の係止突条を係止した状態で、前記下枠の下板の上面と前記押さえ枠の取付部の下面との隙間に、弾性部材からなる前記固定部材を抜け止め状態で介在させてなる請求項３記載のガラスパネル装置。
【請求項５】
前記下枠の係合溝は、立壁板と上板及び下板で形成し、前記押さえ枠は、前記係合溝に係合する取付部に前記ガラス板の表面側を当止する保持片を立起状態で有し、前記下枠の上板下面と前記押さえ枠の取付部の上面とに凹凸係合部を設け、ネジ部材からなる前記固定部材によって前記下枠に前記押さえ枠の取付部を螺着した状態で、前記下枠の係合溝に対する前記押さえ枠の係合状態を維持してなる請求項２記載のガラスパネル装置。
【発明の詳細な説明】
【技術分野】
【０００１】
本発明は、ガラスパネル装置に係わり、更に詳しくは天井と床面間にガラス板を保持して空間を区画するガラスパネル装置に関するものである。
【背景技術】
【０００２】
従来から、天井と床面に天レールと地レールを取付けるとともに、一対の支柱を間隔を隔てて立設し、地レールには高さ調節可能に下枠を取付け、天レールには上枠を取付け、前記両支柱に取付けた縦枠と、前記下枠及び上枠の内側に凹溝部を設け、該凹溝部に挿入したガラス板の周縁を、パッキン（ビード）を介して保持する構造のガラスパネル装置が各種提供されている（特許文献１参照）。
【０００３】
特許文献１に記載のガラスパネル装置は、上枠の凹溝部にガラス板の上縁部を挿入した後、ガラス板を下げてその下縁部を下枠の凹溝部に落とし込み、凹溝部とガラス板の表裏面との間にパッキンを圧入するという作業が必要であり、施工に手間がかかるばかりでなく、地震等によってガラス板が持ち上がれば、下枠の凹溝部から外れる可能性もあるため、何らかのガラス板の上動規制手段が必要である。更に、下枠が地レールの上に乗った状態となるので、ガラス板の下端の位置は地レールよりも上方になり、全面をガラス板で仕切るというコンセプトにおいてデザイン上の制約になっていた。
【０００４】
特許文献２には、上下方向に複数に分割したガラス板を保持する構造であるが、ガラス板を下枠で支持してなるパネルの当該下枠の一部に、ガラス板の背後においてガラス板の下縁よりも高い位置にまで地レールを受容する凹部を設け、この凹部を地レールに被せるように取付けることによって、ガラス板の下縁を地レールの側面に一部被るように位置づけてなるガラスパネル装置が記載されている。ここで、ガラス板が２枚の板材の貼り合わせからなり、これを上枠や下枠を構成する枠材で支持するようにしたものであって、両板材の間に、少なくとも板材の上下端部において内側が大となる段差を設け、枠材に設けた凹溝に内側の板材を嵌め込み、枠材の外面と外側の板材とを面一となるように構成した構造が開示されている。
【０００５】
特許文献１に記載のガラスパネル装置は、ガラス板の上縁部は横枠の凹溝部に嵌合状態で該横枠を支柱間に連結するので、下枠とガラス板の嵌合しろは小さくても外れることがないが、施工作業に手間がかかる。尚、支柱に対しては、ガラス板の側縁部に両面テープで接着した縦枠に設けた爪部材を、支柱の係合部に係合させて保持する構造である
【先行技術文献】
【特許文献】
【０００６】
【特許文献１】特開２００６−０７７５４２号公報
【特許文献２】特開２００８−１２１２６７号公報
【発明の概要】
【発明が解決しようとする課題】
【０００７】
そこで、本発明が前述の状況に鑑み、解決しようとするところは、天井と床面との間にガラス板を両面に保持してなるガラスパネル装置において、ガラス板の施工作業が容易である、しかもガラス板を安定に支持できるガラスパネル装置を提供する点にある。
【課題を解決するための手段】
【０００８】
本発明は、前述の課題解決のために、地レール上に配置し、ガラス板の下端を受ける受部材を備えた下枠と、前記受部材の下方の前記下枠に取付けてガラス板の下端部の表面側を押さえる押さえ枠とを有し、前記下枠に押さえ枠を係合させた状態で、弾性部材又はネジ部材からなる固定部材によって押さえ枠の係合状態を維持してなることを特徴とするガラスパネル装置を構成した（請求項１）。
【０００９】
ここで、前記下枠には、ガラス板を受ける上方側と外側を開放した受溝を有する前記受部材を備え、該受部材の下方に外側へ開放した係合溝を有し、該係合溝に前記押さえ枠を係合させた状態で、弾性部材又はネジ部材からなる固定部材によって押さえ枠の係合状態を維持してなることが好ましい（請求項２）。
【００１０】
また、前記下枠の係合溝は、立壁板と上板及び下板で形成し、前記押さえ枠は、前記係合溝に係合する取付部に前記ガラス板の表面側を当止する保持片を立起状態で有し、前記下枠の上板下面と前記押さえ枠の取付部の上面とに凹凸係合部を設け、弾性部材からなる前記固定部材は前記下枠の下板上面と前記押さえ枠の取付部の下面との間に圧縮状態で介在させ、前記下枠の係合溝に対する前記押さえ枠の係合状態を維持してなることが好ましい（請求項３）。
【００１１】
更に、前記下枠の上板の下面に前記係合溝の長手方向に沿って係止突条を単数又は複数平行に突設し、前記押さえ枠は、前記取付部の上面に前記下枠の係止突条の奥側に係止する同数の係止突条を突設し、前記下枠の係止突条の奥側に前記押さえ枠の係止突条を係止した状態で、前記下枠の下板の上面と前記押さえ枠の取付部の下面との隙間に、弾性部材からなる前記固定部材を抜け止め状態で介在させてなることがより好ましい（請求項４）。
【００１２】
また、前記下枠の係合溝は、立壁板と上板及び下板で形成し、前記押さえ枠は、前記係合溝に係合する取付部に前記ガラス板の表面側を当止する保持片を立起状態で有し、前記下枠の上板下面と前記押さえ枠の取付部の上面とに凹凸係合部を設け、ネジ部材からなる前記固定部材によって前記下枠に前記押さえ枠の取付部を螺着した状態で、前記下枠の係合溝に対する前記押さえ枠の係合状態を維持してなることも好ましい（請求項５）。
【発明の効果】
【００１３】
以上にしてなる請求項１に係る発明のガラスパネル装置は、地レール上に配置し、ガラス板の下端を受ける受部材を備えた下枠と、前記受部材の下方の前記下枠に取付けてガラス板の下端部の表面側を押さえる押さえ枠とを有し、前記下枠に押さえ枠を係合させた状態で、弾性部材又はネジ部材からなる固定部材によって押さえ枠の係合状態を維持してなるので、ガラス板の施工作業が容易である、しかもガラス板を安定に支持できる。
【００１４】
請求項２によれば、前記下枠には、ガラス板を受ける上方側と外側を開放した受溝を有する前記受部材を備え、該受部材の下方に外側へ開放した係合溝を有し、該係合溝に前記押さえ枠を係合させた状態で、弾性部材又はネジ部材からなる固定部材によって押さえ枠の係合状態を維持してなるので、側方からの作業のみでガラス板の下端部を確実に支持することができる。
【００１５】
請求項３によれば、前記下枠の係合溝は、立壁板と上板及び下板で形成し、前記押さえ枠は、前記係合溝に係合する取付部に前記ガラス板の表面側を当止する保持片を立起状態で有し、前記下枠の上板下面と前記押さえ枠の取付部の上面とに凹凸係合部を設け、弾性部材からなる前記固定部材は前記下枠の下板上面と前記押さえ枠の取付部の下面との間に圧縮状態で介在させ、前記下枠の係合溝に対する前記押さえ枠の係合状態を維持してなるので、下枠の係合溝に押さえ枠の取付部が凹凸係合部によって係合し、その係合状態を前記下枠の下板上面と前記押さえ枠の取付部の下面との間に圧縮状態で介在させ固定部材で確実に維持することができ、ガラス板の外側への変位に対して保持片に力が加わっても、固定部材には殆ど力が作用しないので安定である。
【００１６】
請求項４によれば、前記下枠の上板の下面に前記係合溝の長手方向に沿って係止突条を単数又は複数平行に突設し、前記押さえ枠は、前記取付部の上面に前記下枠の係止突条の奥側に係止する同数の係止突条を突設し、前記下枠の係止突条の奥側に前記押さえ枠の係止突条を係止した状態で、前記下枠の下板の上面と前記押さえ枠の取付部の下面との隙間に、弾性部材からなる前記固定部材を抜け止め状態で介在させてなるので、下枠と押さえ枠の形状が簡単になり、また下枠に対する押さえ枠の取付作業が容易である。
【００１７】
請求項５によれば、前記下枠の係合溝は、立壁板と上板及び下板で形成し、前記押さえ枠は、前記係合溝に係合する取付部に前記ガラス板の表面側を当止する保持片を立起状態で有し、前記下枠の上板下面と前記押さえ枠の取付部の上面とに凹凸係合部を設け、ネジ部材からなる前記固定部材によって前記下枠に前記押さえ枠の取付部を螺着した状態で、前記下枠の係合溝に対する前記押さえ枠の係合状態を維持してなるので、下枠の係合溝に押さえ枠の取付部が凹凸係合部によって係合し、その係合状態でネジ部材からなる前記固定部材によって前記下枠に前記押さえ枠の取付部を螺着して確実に維持することができ、ガラス板の外側への変位に対して保持片に力が加わっても、固定部材には殆ど力が作用しないので安定である。
【図面の簡単な説明】
【００１８】
【図１】本発明のガラスパネル装置の部分正面図である。
【図２】ガラスパネル装置の縦断面図である。
【図３】ガラスパネル装置の横断面図である。
【図４】ガラスパネル装置の下部構造を示す分解斜視図である。
【図５】ガラスパネル装置の下部構造を示す部分縦断面図である。
【図６】ガラスパネル装置の下部構造を示す部分拡大縦断面図である。
【図７】固定部材の斜視図である。
【図８】ガラスパネル装置の側部構造を示す部分横断面図である。
【発明を実施するための形態】
【００１９】
次に、添付図面に示した実施形態に基づき、本発明を更に詳細に説明する。図１は本発明に係るガラスパネル装置を示し、図２〜図８はその詳細を示し、図中符号Ｓは天井、Ｆは床面、１は天レール、２は地レール、３は支柱、４は上枠、５は下枠、６は縦枠、７はガラス板、８は押さえ枠、９は固定部材をそれぞれ示している。
【００２０】
本発明に係るガラスパネル装置は、天井Ｓに天レール１を取付けるとともに、床面Ｆに前記天レール１と対向させて地レール２を敷設し、前記天レール１と地レール２との間に所定間隔で支柱３，…を立設し、前記天レール１には上枠４を取付け、前記地レール２には下枠５を取付け、前記支柱３の側面には縦枠６を取付け、これら枠材にガラス板７の周縁部を保持するとともに、前記下枠５に押さえ枠８を係合させた状態で固定部材９によって押さえ枠８の係合状態を維持し、該押さえ枠８で前記ガラス板７の下端部の表面側を押さえて、ガラス板７の脱落を防止するのである。ここで、固定部材９として弾性部材又はネジ部材を用いている。
【００２１】
更に詳しくは、前記天レール１は下向き開放した断面略コ字形の長尺部材であり、また前記地レール２は上向き開放した断面略コ字形の長尺部材である。前記天レール１には、前記上枠４が外嵌状態でネジ止めにて固定されている。また、前記地レール２の凹溝内には所定間隔でアジャスター１０が設けられ、前記下枠５が前記地レール２に外嵌状態で前記アジャスター１０に載支され、該アジャスター１０によるレベル調整が終了した後には、前記下枠５は前記地レール２にネジ止めにて固定される。また、前記縦枠６は、前記支柱３の側面に外嵌状態でネジ止めにて固定されている。
【００２２】
前記上枠４の表裏両側部には、図２に示すように、下向き開放した凹溝部１１，１１が形成され、また前記縦枠６の表裏両側部には、図３に示すように、側方へ開放した凹溝部１２，１２が形成されている。そして、前記上枠４の凹溝部１１の内側壁部と前記縦枠６の凹溝部１２の内側壁部には、軟質合成樹脂あるいはゴムからなるパッキン１３が嵌着されており、前記ガラス板７の上縁部と側縁部をそれぞれ前記上枠４の凹溝部１１と前記縦枠６の凹溝部１２に挿入して保持した状態で前記パッキン１３がガラス板７の裏面に当接し、更に図８に示すように、前記ガラス板７の表面と前記縦枠６の凹溝部１２の外側壁部との隙間に弾性材料からなるビード１４を圧入してガタツキを防止するとともに、防音性を高めている。ここで、前記ビード１４は、弾性部材からなる前記固定部材９を兼用している。尚、本実施形態では、図３に示すように、間隔を隔てた支柱３，３間に、３枚のガラス板７，…を断面略Ｈ字形の縦目地材１５を用いて連結し、それら３枚のガラス板７，…を間口の広い一体物のガラス板として扱い、前記上枠４、下枠５及び両縦枠６，６によって支持している。
【００２３】
更に詳しく、本発明を図４〜図７に基づいて説明する。前記下枠５は、本実施形態ではアルミ押出し型材であり、中央部の本体部１６に前記地レール２を受け入れる下向き開放の凹溝１７を有するとともに、前記本体部１６の外側で上下中間部に略水平な上板１８，１８を突設し、該上板１８の上部に前記ガラス板７の下端を受ける合成樹脂製の受部材１９を装着し、該受部材１９の下方、すなわち前記上板１８の下方に前記押さえ枠８を係合する外側へ開放した係合溝２０を形成している。
【００２４】
前記下枠５の本体部１６は、上端の基板２１の両側縁から下方に立壁板２２，２２を連続形成して断面略コ字形とし、前記基板２１の下面に前記アジャスター１０を当接している。前記アジャスター１０は、前記地レール２の内部に設けるアジャスター受け２３と該アジャスター受け２３に螺合したアジャスターボルト２４とからなり、該アジャスターボルト２４の頭部に前記基板２１が載支される。更に、前記アジャスターボルト２４の頭部直下に回転可能に嵌挿した保持板２５を前記基板２１の下面に対向させて形成した係合片２６，２６に係合させて、前記アジャスター１０の傾倒を防止している。尚、前記アジャスターボルト２４の頭部に対応する前記基板２１には、ドライバー等を挿入してアジャスターボルト２４を回転させるための開口を設けている。
【００２５】
前記受部材１９は、図４及び図５に示すように、断面略Ｌ字形の部材であり、上方側と外側を開放した受溝２７を有し、前記ガラス板７の下端を該受溝２７で受けるようになっている。前記受部材１９の水平部２８を前記下枠５の上板１８の上面に載置するとともに、垂直部２９の背面に形成した断面略Ｃ字形の嵌合溝部３０を前記下枠５の立壁板の外側面に形成した断面略Ｔ字形の嵌合突条３１にスライド係合させて取付ける。更に、前記受部材１９の水平部２８の外側縁には係止片３２を立上げ形成し、前記受溝２７を形成している。ここで、前記受部材１９の水平部２８、垂直部２９、嵌合溝部３０及び係止片３２は、硬質合成樹脂で成形し、前記垂直部２９の上端部の外側には軟質合成樹脂で二色押出し成形によりパッキン部３３を一体形成している。
【００２６】
前記下枠５の係合溝２０は、前記立壁板２２と上板１８及び前記立壁板２２の下端に外向きに形成した下板３４で形成している。前記下板３４は前記上板１８よりも突出量は少なく設定している。ここで、前記下枠５を前記地レール２に外嵌した状態で、前記係合溝２０内で前記立壁板２２，２２を前記地レール２にネジ３５で螺着している。また、前記押さえ枠８は、前記係合溝２０に係合する取付部３６に前記ガラス板７の表面側を当止する保持片３７を立起状態で有している。そして、前記下枠５の上板１８下面と前記押さえ枠８の取付部３６の上面とに凹凸係合部を設け、前記下枠５の下板３４上面と前記押さえ枠８の取付部３６の下面との間に弾性部材からなる前記固定部材９を圧縮状態で介在させ、前記下枠５の係合溝２０に対する前記押さえ枠８の係合状態を維持している。
【００２７】
前記押さえ枠８は、アルミ押出し型材からなり、前記取付部３６は、前記上板１８に面する水平板部３８と、該水平板部３８の内側縁から下方へ延びた垂直板部３９と、該垂直板部３９の下縁から前記下板３４に面するように内側に延びた水平板部４０とからなるクランク状である。そして、前記押さえ枠８の水平板部３８の外側縁に前記保持片３７を立上げ形成している。
【００２８】
具体的には、前記下枠５の上板１８の下面と前記押さえ枠８の取付部３６の上面とに設けた凹凸係合部は、図５及び図６に示すように、前記下枠５の上板１８の下面に前記係合溝２０の長手方向に沿って係止突条４１を単数又は複数平行に突設し、前記押さえ枠８は、前記取付部３６の水平板部３８の上面に前記下枠５の係止突条４１の奥側に係止する同数の係止突条４２を突設して構成した。そして、前記下枠５の係止突条４１の奥側に前記押さえ枠８の係止突条４２を係止した状態で、前記下枠５の下板３４の上面と前記押さえ枠８の取付部３６の水平板部４０の下面との隙間に、弾性部材からなる前記固定部材９を抜け止め状態で介在させて、前記押さえ枠８を取付けるのである。
【００２９】
弾性部材からなる前記固定部材９は、図６及び図７に示すように、前記下枠５の下板３４の上面と前記押さえ枠８の取付部３６の水平板部４０の下面との隙間に介在させる硬質弾性部４３と、前記下板３４の上面に形成した突条４４を弾性変形して乗り越えて係止する軟質弾性部４５とを二色押出し成形にて形成したものである。前記硬質弾性部４３の外側縁には、斜め上方へ向いた摘み部４６を形成し、該摘み部４６を持って前記固定部材９を挿脱するのである。
【００３０】
このように、前記下枠５の上板１８の上方に保持した前記受部材１９の受溝２７に、前記ガラス板７の下端を載置すると、該受部材１９の係止片３２でガラス板７の表面側が当止されて仮保持状態となる。それから、前記下枠５の係合溝２０に前記押さえ枠８を挿入した後、持ち上げると、前記下枠５の係止突条４１の奥側に前記押さえ枠８の係止突条４２が係止し、その状態で前記下枠５の下板３４の上面と前記押さえ枠８の取付部３６の水平板部４０の下面との隙間に、弾性部材からなる前記固定部材９を圧入して介在させることにより、前記下枠５の係合溝２０に対して前記押さえ枠８の取付部３６が係合状態で保持される。この状態でも十分に押さえ枠８は保持されるが、更に確実にするために、図５及び図６に示すように、前記押さえ枠８の垂直板部３９を、前記下枠５の立壁板２２に前記固定部材９としてのネジ４７（ネジ部材）で螺着しても良い。
【００３１】
それにより、前記押さえ枠８の保持片３７で前記ガラス板７の下端部の表面側を当止して、該ガラス板７の下端部を支持することができるのである。勿論、前記押さえ枠８を前記下枠５の係合溝２０に取付けた状態では、前記保持片３７の上端が前記受部材１９の係止片３２よりも上方に位置するように設定されている。そして、前記ガラス板７の下端部は、前記受部材１９を介して前記下枠５の上板１８、立壁板２２及び押さえ枠８の保持片３７で確実に支持され、前記受部材１９は緩衝部材のような作用をする。ここで、前記押さえ枠８の保持片３７は十分に高いので、地震等によってガラス板７が不意に持ち上がって、該ガラス板７の上端が上枠４の凹溝部１１の上端に当接するまで上昇しても、該ガラス板７の下端部が下枠５から外れることがない。
【符号の説明】
【００３２】
Ｓ  天井、                Ｆ  床面、
１  天レール、            ２  地レール、
３  支柱、                ４  上枠、
５  下枠、                ６  縦枠、
７  ガラス板、            ８  押さえ枠、
９  固定部材、            １０  アジャスター、
１１  凹溝部、            １２  凹溝部、
１３  パッキン、          １４  ビード、
１５  縦目地材、          １６  本体部、
１７  凹溝、              １８  上板、
１９  受部材、            ２０  係合溝、
２１  基板、              ２２  立壁板、
２３  アジャスター受け、  ２４  アジャスターボルト、
２５  保持板、            ２６  係合片、
２７  受溝、              ２８  水平部、
２９  垂直部、            ３０  嵌合溝部、
３１  嵌合突条、          ３２  係止片、
３３  パッキン部、        ３４  下板、
３５  ネジ、              ３６  取付部、
３７  保持片、            ３８  水平板部、
３９  垂直板部、          ４０  水平板部、
４１  係止突条、          ４２  係止突条、
４３  硬質弾性部、        ４４  突条、
４５  軟質弾性部、        ４６  摘み部、
４７  ネジ（ネジ部材）。
【図１】
2017119966.tif 000003
【図２】
2017119966.tif 000004
【図３】
2017119966.tif 000005
【図４】
2017119966.tif 000006
【図５】
2017119966.tif 000007
【図６】
2017119966.tif 000008
【図７】
2017119966.tif 000009
【図８】
2017119966.tif 000010